(57)【特許請求の範囲】
【請求項１】
部品を特定する部品番号、部品のヴァージョンを示すサフィックス、部品の名称およびＣＡＤ図面のサイズを含む部品属性の変更と、部品を構成する部品群を示す部品構成の変更とを管理する設計変更管理システムであって、
設計変更入力画面を制御する手段と、
上記の設計変更入力画面への入力および保存情報に基づいて部品属性を変更する手段と、
上記の設計変更入力画面への入力および保存情報に基づいて部品構成を変更する手段と、
設計変更明細書のプレビュー表示要求を受けた場合、部品番号の変更のあった部品から実施機種までの親子関係のパスを辿り、交換用部品として単体で取り扱われるサービス部品についてサフィックスを更新し、プレビュー画面を表示する手段とを備えたことを特徴とする設計変更管理システム。
【請求項２】
請求項１に記載の設計変更管理システムにおいて、
上記の部品属性を変更する手段は、部品のサフィックスを要求に応じて次のヴァージョンを示すものに変更する場合、対応するＣＡＤ情報が存在するときはＣＡＤ属性の内容を変更内容に反映することを特徴とする設計変更管理システム。
【請求項３】
請求項１または２のいずれか一項に記載の設計変更管理システムにおいて、
上記の部品属性もしくは部品構成を変更する手段は、機種限定の要求を受けた場合、複数の実施機種のうち指定された機種についてのみ、部品番号の変更のあった部品から当該機種までの親子関係のパスを辿り要求された部品番号への番号変更を行うことを特徴とする設計変更管理システム。
【請求項４】
請求項１乃至３のいずれか一項に記載の設計変更管理システムにおいて、
上記の部品属性もしくは部品構成を変更する手段は、変更内容コピーの要求を受けた場合、指定された機種について、変更前の部品番号に一致する部品が含まれるか否か判断し、含まれる場合に当該一致する部品に対して変更内容をコピーすることを特徴とする設計変更管理システム。
【請求項５】
請求項１乃至４のいずれか一項に記載の設計変更管理システムにおいて、
変更仕掛り部品の検索要求を受けた場合、検索指示を受けた部品番号の部品の下位構成に仕掛り変更があるときに、その変更内容を反映させて検索を行う手段を備えたことを特徴とする設計変更管理システム。
【請求項６】
部品を特定する部品番号、部品のヴァージョンを示すサフィックス、部品の名称およびＣＡＤ図面のサイズを含む部品属性の変更と、部品を構成する部品群を示す部品構成の変更とを管理する設計変更管理方法であって、
端末の設計変更入力画面制御部が、設計変更入力画面を制御する工程と、
上記端末の部品属性変更部が、上記の設計変更入力画面への入力および保存情報に基づいて部品属性を変更する工程と、
上記端末の部品構成変更部が、上記の設計変更入力画面への入力および保存情報に基づいて部品構成を変更する工程と、
上記端末の設計変更プレビュー部が、設計変更明細書のプレビュー表示要求を受けた場合、部品番号の変更のあった部品から実施機種までの親子関係のパスを辿り、交換用部品として単体で取り扱われるサービス部品についてサフィックスを更新し、プレビュー画面を表示する工程とを備えたことを特徴とする設計変更管理方法。
【請求項７】
部品を特定する部品番号、部品のヴァージョンを示すサフィックス、部品の名称およびＣＡＤ図面のサイズを含む部品属性の変更と、部品を構成する部品群を示す部品構成の変更とを管理するプログラムであって、
コンピュータを、
設計変更入力画面を制御する手段、
上記の設計変更入力画面への入力および保存情報に基づいて部品属性を変更する手段、
上記の設計変更入力画面への入力および保存情報に基づいて部品構成を変更する手段
設計変更明細書のプレビュー表示要求を受けた場合、部品番号の変更のあった部品から実施機種までの親子関係のパスを辿り、交換用部品として単体で取り扱われるサービス部品についてサフィックスを更新し、プレビュー画面を表示する手段として機能させることを特徴とするプログラム。
【発明の詳細な説明】
【技術分野】
【０００１】
本発明は、設計変更作業を簡易化するとともに人為的ミスを低減することのできる設計変更管理システムに関する。
【背景技術】
【０００２】
画像形成装置等の製品の設計にあっては、不具合の是正や機能追加等に伴って頻繁に設計変更が行われる。設計変更はＡ票と呼ばれる設計変更指示書によって適用の時期等が定められ、個々の設計変更の内容はＢ票と呼ばれる設計変更明細書によって規定される。
【０００３】
設計変更の内容には、部品属性（ＰＮ：Parts Number）の変更と部品構成（ＰＳ：Parts Structure）の変更とがある。部品属性とは、部品を特定する部品番号（狭義のＰＮ）、当該部品のヴァージョンを示すサフィックス（ＳＦＸ）、名称、ＣＡＤ（Computer Aided Design）図面のサイズ等が含まれている。部品構成とは、ある部品を構成する部品群であり、この部品群に含まれる部品も末端の部品でなければ部品構成を有する。部品構成を上位に辿っていくと製品に収束する。
【０００４】
一方、特許文献１には、設計業務、特に製品仕様を検討する際の作業の効率化を実現する部品構成比較システム、部品構成比較方法およびプログラムが開示されている。
【特許文献１】特開２００５−２７５５９７号公報
【発明の開示】
【発明が解決しようとする課題】
【０００５】
従来の設計変更管理システムではＡ票からＢ票を起動し、Ｂ票に手作業でデータを入力していたため、ある部品の部品属性や部品構成を変更した場合、その部品をコンポーネントに持つ上位の部品のうち特にサービス部品（交換用部品として単体で取り扱われる部品）はサフィックスを変更しなければならないが、見るべき範囲が膨大であり、変更し忘れることがあるという問題点が指摘されていた。
【０００６】
本発明は上記の従来の問題点に鑑み提案されたものであり、その目的とするところは、設計変更作業を簡易化するとともに人為的ミスを低減することのできる設計変更管理システムを提供することにある。
【課題を解決するための手段】
【０００７】
上記の課題を解決するため、本発明にあっては、請求項１に記載されるように、部品を特定する部品番号、部品のヴァージョンを示すサフィックス、部品の名称およびＣＡＤ図面のサイズを含む部品属性の変更と、部品を構成する部品群を示す部品構成の変更とを管理する設計変更管理システムであって、設計変更入力画面を制御する手段と、上記の設計変更入力画面への入力および保存情報に基づいて部品属性を変更する手段と、上記の設計変更入力画面への入力および保存情報に基づいて部品構成を変更する手段と、設計変更明細書のプレビュー表示要求を受けた場合、部品番号の変更のあった部品から実施機種までの親子関係のパスを辿り、交換用部品として単体で取り扱われるサービス部品についてサフィックスを更新し、プレビュー画面を表示する手段とを備える設計変更管理システムを要旨としている。
【０００８】
また、請求項２に記載されるように、請求項１に記載の設計変更管理システムにおいて、上記の部品属性を変更する手段は、部品のサフィックスを要求に応じて次のヴァージョンを示すものに変更する場合、対応するＣＡＤ情報が存在するときはＣＡＤ属性の内容を変更内容に反映するようにすることができる。
【００１０】
また、請求項３に記載されるように、請求項１または２のいずれか一項に記載の設計変更管理システムにおいて、上記の部品属性もしくは部品構成を変更する手段は、機種限定の要求を受けた場合、複数の実施機種のうち指定された機種についてのみ、部品番号の変更のあった部品から当該機種までの親子関係のパスを辿り要求された部品番号への番号変更を行うようにすることができる。
【００１１】
また、請求項４に記載されるように、請求項１乃至３のいずれか一項に記載の設計変更管理システムにおいて、上記の部品属性もしくは部品構成を変更する手段は、変更内容コピーの要求を受けた場合、指定された機種について、変更前の部品番号に一致する部品が含まれるか否か判断し、含まれる場合に当該一致する部品に対して変更内容をコピーするようにすることができる。
【００１２】
また、請求項５に記載されるように、請求項１乃至４のいずれか一項に記載の設計変更管理システムにおいて、変更仕掛り部品の検索要求を受けた場合、検索指示を受けた部品番号の部品の下位構成に仕掛り変更があるときに、その変更内容を反映させて検索を行う手段を備えるようにすることができる。
【００１３】
また、請求項６に記載されるように、部品を特定する部品番号、部品のヴァージョンを示すサフィックス、部品の名称およびＣＡＤ図面のサイズを含む部品属性の変更と、部品を構成する部品群を示す部品構成の変更とを管理する設計変更管理方法であって、端末の設計変更入力画面制御部が、設計変更入力画面を制御する工程と、上記端末の部品属性変更部が、上記の設計変更入力画面への入力および保存情報に基づいて部品属性を変更する工程と、上記端末の部品構成変更部が、上記の設計変更入力画面への入力および保存情報に基づいて部品構成を変更する工程と、上記端末の設計変更プレビュー部が、設計変更明細書のプレビュー表示要求を受けた場合、部品番号の変更のあった部品から実施機種までの親子関係のパスを辿り、交換用部品として単体で取り扱われるサービス部品についてサフィックスを更新し、プレビュー画面を表示する工程とを備える設計変更管理方法として構成することができる。
【００１４】
また、請求項７に記載されるように、部品を特定する部品番号、部品のヴァージョンを示すサフィックス、部品の名称およびＣＡＤ図面のサイズを含む部品属性の変更と、部品を構成する部品群を示す部品構成の変更とを管理するプログラムであって、コンピュータを、設計変更入力画面を制御する手段、上記の設計変更入力画面への入力および保存情報に基づいて部品属性を変更する手段、上記の設計変更入力画面への入力および保存情報に基づいて部品構成を変更する手段設計変更明細書のプレビュー表示要求を受けた場合、部品番号の変更のあった部品から実施機種までの親子関係のパスを辿り、交換用部品として単体で取り扱われるサービス部品についてサフィックスを更新し、プレビュー画面を表示する手段として機能させるプログラムとして構成することができる。
【発明の効果】
【００１５】
本発明の設計変更管理システムにあっては、設計変更作業を簡易化するとともに人為的ミスを低減することができる。
【発明を実施するための最良の形態】
【００１６】
以下、本発明の好適な実施形態につき説明する。
【００１７】
＜システム構成＞
図１は本発明の一実施形態にかかる設計変更管理システムの構成例を示す図である。図１において、設計変更管理システムは、部品表データ、設計変更データおよび設計変更関係データを格納するデータベースサーバ１と、業務ロジックを実行するアプリケーションサーバ２と、ＰＣ（Personal Computer）等の端末３と、部品等の図面を作成するＣＡＤシステム４とがネットワーク接続されて構成される。
【００１８】
端末３は、設計変更入力画面の生成等を制御する設計変更入力画面制御部３１と、部品属性の変更を行う部品属性変更部３２と、部品構成の変更を行う部品構成変更部３３と、設計変更プレビューを行う設計変更プレビュー部３４と、各種の検索を行う検索部３５とを備えている。
【００１９】
図２はデータ配置の例を示す図である。データベースサーバ１には、部品表データとしてのＰＮデータおよびＰＳデータと、設計変更データとしての設計変更指示書データ、設計変更ＰＮデータおよび設計変更ＰＳデータと、設計変更関係データとしての前提関係データ（設計変更指示書の前後関係等を示すデータ）とが格納されている。端末３には、ＰＮデータ、設計変更ＰＮデータ、ＰＳデータおよび設計変更ＰＳデータが変更作業時に保持される。
【００２０】
＜設計変更入力の基本処理＞
図３は設変Ｂ票入力画面および変更部番指示画面の起動の例を示す図であり、Lotus Notes（登録商標）等のＡ票画面Ｗ１からＢ票入力ボタンＢ１をクリックすることで、設変Ｂ票入力画面Ｗ２が表示され、その上に変更部番指示画面Ｗ３が表示された状態を示している。なお、設変Ｂ票入力画面Ｗ２および変更部番指示画面Ｗ３はVisual Basic（登録商標）等により生成および制御が行われる。
【００２１】
図４は変更部番指示画面からＰ／Ｎ変更画面への移行の例を示す図であり、変更部番指示画面Ｗ３からＰＮ変更ボタンＢ２をクリックすることで、Ｐ／Ｎ変更画面Ｗ４が表示された状態を示している。この際、部番のサフィックスは最新のものより一つ進み、対応するヴァージョンのＣＡＤ図面の情報が読み出され、変更内容に設定される。また、Ｐ／Ｎ変更画面Ｗ４から名称変更ボタンＢ３をクリックすることで部品名称定義画面Ｗ５が表示され、Ｐ／Ｎ変更画面Ｗ４から変更取消ボタンＢ４をクリックすることでＰ／Ｎ変更取消画面Ｗ６が表示される。
【００２２】
図５は部品属性変更時のＣＡＤデータからの属性コピーの処理例を示す図である。図５（ａ）において、部品のサフィックス（ＳＦＸ）の変更指示があると（ステップＳ１１）、次のサフィックスに対応するＣＡＤデータがあるか否か判断し（ステップＳ１２）、ある場合にはＣＡＤ属性の内容を変更内容に反映し（ステップＳ１３）、変更内容を表示する（ステップＳ１４）。図５（ｂ）のＰＮデータＤ１において、機種「Ａ００１００」の構成部品の一つが「Ａ００１０００１」であり、更にその構成部品の一つが「Ａ００１００１０」であるとして、部品「Ａ００１０００１」に「Ａ」から「Ｂ」へのサフィックス変更がされる場合、ＣＡＤデータＤ２に「Ａ００１０００１  Ｂ」のデータがあると、その名称、サイズ、枚数等の属性がＰＮデータＤ３の部品「Ａ００１０００１  Ｂ」に反映される。
【００２３】
図６は変更部番指示画面から構成変更画面への移行の例を示す図であり、変更部番指示画面Ｗ３から構成変更ボタンＢ５をクリックすることで、構成変更画面Ｗ７が表示された状態を示している。構成変更画面Ｗ７では下位の構成が全て階層的に表示されるとともに、個々の部品の詳細が表示される。また、構成変更画面Ｗ７の階層表示された部品の中から所望のものを選択し、マウスを右クリックすることで処理内容を選択できるコンテキストメニューＷ８が表示される。
【００２４】
図７は変更部番指示画面からＢ票プレビュー画面への移行の例を示す図であり、変更部番指示画面Ｗ３からＢ票プレビューボタンＢ６をクリックすることで、Ｂ票プレビュー画面Ｗ９が表示された状態を示している。この際、サービス部品（欄Ｓが埋まっているもの）についてサフィックスの自動さかのぼり更新が行われることで、入力途中の変更を確認することができる。なお、Ｂ票プレビュー画面Ｗ９においては変更のあった部品（子部品の変更を含む）のみが表示される。
【００２５】
図８はＢ票プレビュー時の処理例を示す図である。図８（ａ）において、変更部番の指示があると（ステップＳ２１）、実施機種があるか否か判断し（ステップＳ２２）、ある場合には機種までの親子関係のパスにサービス部品があるか否か判断し（ステップＳ２３）、ある場合にはサービス部品のサフィックスを更新し（ステップＳ２４）、処理を終了する（ステップＳ２５）。図８（ｂ）は部品「Ａ００１００１１」に変更があった場合、機種「Ａ００１００」までのパスの途中にあるサービス部品「Ａ００１０００１」のサフィックスが変更されることを示している。
【００２６】
図９は変更部番指示画面から入力終了画面への移行の例を示す図であり、変更部番指示画面Ｗ３から入力終了ボタンＢ７をクリックすることで、入力終了画面Ｗ１０が表示された状態を示している。この入力終了画面Ｗ１０では、入力必須項目および入力可能項目が色分け表示され、入力漏れ等を確認することができる。
【００２７】
＜特殊処理＞
図１０は構成変更における機種限定指示の例を示す図であり、変更対象の機種を限定できるようにしたものである。なお、構成変更として子部品追加を行った場合の例を示している。
【００２８】
図１０において、構成変更画面Ｗ７のコンテキストメニューＷ８から子部品追加を選択すると、複数の機種で使用されている部品の場合、限定指示画面Ｗ１１が表示され、ラジオボタンＢ８から機種限定か限定不要（デフォルト）かを選択できるようになっている。ここで、機種限定を選択して機種を選択することにより、新部番入力画面Ｗ１２、Ｗ１３が表示され、選択した機種につき変更部番から機種までのパスをたどり、必要な変更を反映させることができる。また、新部番入力画面Ｗ１３のＰＮ変更ボタンＢ９をクリックすることでＰ／Ｎ変更画面Ｗ１４が表示され、登録ボタンＢ１０をクリックすることで登録が行われる。
【００２９】
図１１は機種限定時の処理例を示す図である。図１１（ａ）において、変更部番の指示があると（ステップＳ３１）、実施機種が複数あるか否か判断し（ステップＳ３２）、ある場合は仕向け地等による機種限定があるか否か判断し（ステップＳ３３）、ある場合は指定機種のパスについてだけ番号変更を行い（ステップＳ３４）、処理を終了する（ステップＳ３５）。図１１（ｂ）は部品「Ａ００１００１１」について変更を行った場合に、この部品が使用されている機種「Ａ００１００」「Ａ００１０１」のうち、北米向け機種「Ａ００１０１」のみに限定したとき、北米向け機種「Ａ００１０１」の部品「Ａ００１０００１」「Ａ００１００１０」の番号変更が行われることを示している。
【００３０】
図１２は構成変更における他機種への変更内容コピーの例を示す図であり、複数の親部品に対して同一の変更を行うものである。
【００３１】
図１２において、構成変更画面Ｗ７から反映元の部品を選択して右クリックすることでコンテキストメニューＷ８を表示させ、そこから変更内容コピーを選択することで、コピー内容指示画面Ｗ１５が表示される。そして、コピー内容指示画面Ｗ１５からコピー内容を選択することで、コピー先指示画面Ｗ１６が表示され、コピー先の機種を選択することで、変更内容がコピーされ、変更結果画面Ｗ１７で確認できるようになっている。
【００３２】
図１３は他機種への変更内容コピー時の処理例を示す図である。図１３（ａ）において、コピー先変更の指示があると（ステップＳ４１）、旧構成に一致した部番があるか否か判断し（ステップＳ４２）、ある場合は一致した部番に対して変更内容をコピーし（ステップＳ４３）、変更内容を表示する（ステップＳ４４）。図１３（ｂ）は機種「Ａ００１００」に属する部品「Ａ００１０００１」が「Ａ００１０００２」に番号変更された場合、選択された機種「Ａ００１０３」等の同じ部番の部品「Ａ００１０００１」に番号変更が行われることを示している。
【００３３】
図１４は親探しから構成変更の例を示す図であり、構成変更する部番はわかるが親の部番がわからない場合に親の部番を見つけ、構成変更画面につなぐものである。
【００３４】
図１４において、変更部番指示画面Ｗ３に部品番号を入力して親探しボタンＢ１１をクリックすることで、親の部番を示す親探し→構成変更画面Ｗ１８が表示され、ここから右クリックしてコンテキストメニューＷ１９を表示させ、構成変更を選択することで、構成変更画面Ｗ２０が表示される。変更部番の影響する親の部品や機種がわかるため、自動で全機種に変更を反映することも可能である。
【００３５】
＜検索処理＞
図１５は設計変更指示書検索の例を示す図であり、Ｐ／Ｎ検索画面Ｗ２１の基本タブの最新指示書／リリースＮＯもしくは設変情報タブの仕掛り変更履歴の指示書番号から、または、コンポ検索画面Ｗ２２の部番から、右クリックすることでコンテキストメニューＷ２３を表示させ、そこから指示書検索を選択することで、該当する最新の指示書のＡ票画面Ｗ２４が表示される。
【００３６】
図１６は設計変更履歴検索の例を示す図であり、属性による検索画面Ｗ２５に部品番号を入力した上で設変履歴ボタンＢ１２をクリックし、あるいは、コンポ検索画面Ｗ２２の部番から右クリックすることでコンテキストメニューＷ２３を表示させて設変履歴検索を選択することで、変更履歴画面Ｗ２６が表示される。変更履歴画面Ｗ２６のＰ／Ｎ変更履歴ではサフィックス変更や名称変更などの部番に対する変更が確認でき、Ｐ／Ｓ変更履歴では部番に対する構成変更（追加、個数変更、番号変更、部品交換等）が確認できる。
【００３７】
図１７は設計変更仕掛コンポ検索の例を示す図であり、属性による検索画面Ｗ２５のコンポボタンＢ１３を右クリックしてコンテキストメニューＷ２７を表示させ、そこから設変仕掛り→全レベルを選択することで、指示書番号入力画面Ｗ２８が表示され、そこに指示書番号を入力することで、その指示書の仕掛中案件が反映されたコンポ検索画面Ｗ２９が表示される。ここで、仕掛中の部番はグレー表示とされ、リリース後のものと区別可能となっている。なお、指示書番号入力画面Ｗ２８において指示書番号として「＊」を入力することで、最新構成を表示させることができる。
【００３８】
図１８は設計変更仕掛コンポ検索の処理例を示す図である。図１８（ａ）において、検索部番の指示があると（ステップＳ５１）、下位構成に仕掛り変更があるか否か判断し（ステップＳ５２）、ある場合は指定部番の変更内容を検索結果に反映し（ステップＳ５３）、検索結果を表示する（ステップＳ５４）。図１８（ｂ）は機種「Ａ００１００」に属する部品「Ａ００１０００１」と「Ａ００１００１０」に番号変更が仕掛り中の場合の検索結果を示している。
【００３９】
＜総括＞
上述した設計変更管理システムにあっては、
（１）部品属性の変更において、対応するヴァージョンのＣＡＤ図面の情報との整合が自動的に行える。
（２）ある部品の部品属性や部品構成を変更した場合、その部品をコンポーネントに持つ上位の部品のうちサービス部品について自動的にサフィックスの変更が行える。
（３）実施機種が複数ある部品の部品属性や部品構成を変更した場合、仕向け地等によって特定の機種についてだけ適用することができる。
（４）ある部品の部品属性や部品構成を変更した場合、その部品とは直接の親関係にない他の部品にも同様な変更を容易に適用することができる。
（５）部品の検索を行う場合、部品属性や部品構成の変更作業が仕掛り中であっても、変更が反映された状態を確認することができる。
（６）総じて、設計変更作業を簡易化するとともに人為的ミスを低減することができる。
【００４０】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００４１】
【図１】本発明の一実施形態にかかる設計変更管理システムの構成例を示す図である。
【図２】データ配置の例を示す図である。
【図３】設変Ｂ票入力画面および変更部番指示画面の起動の例を示す図である。
【図４】変更部番指示画面からＰ／Ｎ変更画面への移行の例を示す図である。
【図５】部品属性変更時のＣＡＤデータからの属性コピーの処理例を示す図である。
【図６】変更部番指示画面から構成変更画面への移行の例を示す図である。
【図７】変更部番指示画面からＢ票プレビュー画面への移行の例を示す図である。
【図８】Ｂ票プレビュー時の処理例を示す図である。
【図９】変更部番指示画面から入力終了画面への移行の例を示す図である。
【図１０】構成変更における機種限定指示の例を示す図である。
【図１１】機種限定時の処理例を示す図である。
【図１２】構成変更における他機種への変更内容コピーの例を示す図である。
【図１３】他機種への変更内容コピー時の処理例を示す図である。
【図１４】親探しから構成変更の例を示す図である。
【図１５】設計変更指示書検索の例を示す図である。
【図１６】設計変更履歴検索の例を示す図である。
【図１７】設計変更仕掛コンポ検索の例を示す図である。
【図１８】設計変更仕掛コンポ検索の処理例を示す図である。
【符号の説明】
【００４２】
１      データベースサーバ
２      アプリケーションサーバ
３      端末
３１    設計変更入力画面制御部
３２    部品属性変更部
３３    部品構成変更部
３４    設計変更プレビュー部
３５    検索部
４      ＣＡＤシステム
【図１】
0004751755.tif 000002
【図２】
0004751755.tif 000003
【図５】
0004751755.tif 000004
【図８】
0004751755.tif 000005
【図１１】
0004751755.tif 000006
【図１３】
0004751755.tif 000007
【図１８】
0004751755.tif 000008
【図３】
0004751755.tif 000009
【図４】
0004751755.tif 000010
【図６】
0004751755.tif 000011
【図７】
0004751755.tif 000012
【図９】
0004751755.tif 000013
【図１０】
0004751755.tif 000014
【図１２】
0004751755.tif 000015
【図１４】
0004751755.tif 000016
【図１５】
0004751755.tif 000017
【図１６】
0004751755.tif 000018
【図１７】
0004751755.tif 000019